(57)【要約】【課題】  顧客がカードなどを携帯しなくても、割引などの特典を受けられるようにするとともに、特典を受けるべき顧客を、確実に特定することができるシステムを提供することである。【解決手段】  特典を受ける権利を持っている顧客を、指紋データで識別できるようにしている。また、有効期限や、１日ごとの特典を受けられる回数に制限を設け、それを顧客ごとに記憶して、指紋照合と同時に、有効期限などを確認できるようにしている。【選択図】  図１
2007109129.tif 000002
【特許請求の範囲】
【請求項１】
登録用指紋入力部と、照合用指紋入力部と、データ処理部と、データ入力部と、データ出力部と、データ記憶部とを備え、上記登録用指紋入力部は、顧客の指紋データを読み取って、それを登録用指紋データとしてデータ処理部へ入力する機能を備え、上記照合用指紋入力部は、顧客の指紋データを読み取って、それを照合用指紋データとしてデータ処理部へ入力する機能を備え、上記データ処理部は、登録用指紋入力部から登録用指紋データが入力され、この登録用指紋データに対応付けられた顧客データが上記データ入力部から入力されたとき、データ入力部から入力された顧客データが、上記顧客データ記憶部に登録されているかどうかを判断する機能と、判断した結果、上記顧客データが未登録であって、しかも、データ入力部から入金情報が初めて入力されたきに、上記顧客データに上記登録用指紋データを対応付けてデータ記憶部に登録させる機能と、入金情報が入力されるたびに、その入力日に予め設定された所定日数を加算して有効期限を算出する機能と、算出した有効期限および１日の来店回数を上記顧客データに対応付けて登録させる機能とを備えるとともに、上記照合用指紋入力部から照合用指紋データが入力されたとき、上記データ記憶部が記憶している登録用指紋データの中に、上記照合用指紋データと一致する登録用指紋データがあるかどうかを判定する機能と、一致する登録用指紋データがあったときに、それに対応する有効期限が切れていないかどうかを判定する機能と、当日の来店回数に１を加算して、その加算結果が予め設定された設定回数を超えていないかどうかを判定する機能と、上記判定結果が有効期限内であって加算した来店回数が設定回数以内の場合に、特典を付与する旨のお知らせ情報をデータ出力部へ出力する機能とを備えた特典付与システム。
【発明の詳細な説明】
【技術分野】
【０００１】
この発明は、特定の顧客に対して特典を付与するシステムに関する。
【背景技術】
【０００２】
飲食店や、小売店などで割引券や会員カードを発行し、それを持参すると、飲食代や商品代を割引するというサービスを行なっているところがある。
また、ポイントカードを発行し、支払い金額や、来店回数に応じてポイントを付与し、そのポイントに応じて、割引などの特典を与えることもある。
なお、上記のようなサービスは、広く行なわれているので、特に、文献調査は行なっていない。
【発明の開示】
【発明が解決しようとする課題】
【０００３】
上記のようなサービスは、店舗ごとに実施されているため、上記のような割引券や、会員カードなどを全て携帯しようとすると、財布やポケットが膨らんでしまって不便である。そのため、上記会員カードなどは、常に携帯しているとは限らず、忘れてしまうと、せっかく来店しても特典を受けられないことがある。
また、店舗側からすれば、来店回数の多い顧客に、特典を与えたいと考えて、会員カードなどを発行したとしても、カードは他人に貸すことができるため、来店回数が少ない客に対しても、特典を与えてしまうことがある。
この発明の目的は、顧客がカードなどを携帯しなくても、割引などの特典を受けられるようにするとともに、特典を受けるべき顧客を、確実に特定することができるシステムを実現することである。
【課題を解決するための手段】
【０００４】
この発明は、登録用指紋入力部と、照合用指紋入力部と、データ処理部と、データ入力部と、データ出力部と、データ記憶部とを、上記登録用指紋入力部は、顧客の指紋データを読み取って、それを登録用指紋データとしてデータ処理部へ入力する機能を備え、上記照合用指紋入力部は、顧客の指紋データを読み取って、それを照合用指紋データとしてデータ処理部へ入力する機能を備え、上記データ処理部は、登録用指紋入力部から登録用指紋データが入力され、この登録用指紋データに対応付けられた顧客データが上記データ入力部から入力されたとき、データ入力部から入力された顧客データが、上記顧客データ記憶部に登録されているかどうかを判断する機能と、判断した結果、上記顧客データが未登録であって、しかも、データ入力部から入金情報が初めて入力されたきに、上記顧客データに上記登録用指紋データを対応付けてデータ記憶部に登録させる機能と、入金情報が入力されれるたびに、その入力日に予め設定された所定日数を加算して有効期限を算出する機能と、算出した有効期限および１日の来店回数を上記顧客データに対応付けて登録させる機能とを備えている。
【０００５】
また、上記照合用指紋入力部から照合用指紋データが入力されたとき、上記データ記憶部が記憶している登録用指紋データの中に、上記照合用指紋がデータと一致する登録指紋データがあるかどうかを判定する機能と、一致する登録用指紋データがあったときに、それに対応する有効期限が切れていないかどうかを判定する機能と、当日の来店回数に１を加算して、その加算結果が予め設定された設定回数を超えていないかどうかを判定する機能と、上記判定結果が有効期限内であって加算した来店回数が設定回数以内の場合に、特典を付与する旨のお知らせ情報をデータ出力部へ出力する点に特徴を有する。
【発明の効果】
【０００６】
この発明によれば、一定の金額を支払うことによって特典を受ける権利を持った顧客を、指紋データによって特定できるようになる。指紋データは、カードのように、他人に貸すことができないので、他人が特典を受けてしまうようなことが起こらない。
また、ユーザーは、割引券やカード類を持ち歩く必要がないため、ポケットや財布が膨らむ心配もないし、会員カードなどを携帯し忘れたために、来店したのに特典を受け損なうというようなこともなくなる。
さらに、ユーザーは、カードを持っているか否かに関係なく、特典を受けることができるため、その店舗に立ち寄り易くなる。従って、このシステムを導入した店舗への来店回数が増えることも期待できる。
【発明を実施するための最良の形態】
【０００７】
図１に、この発明の一実施形態を示す。
このシステムは、図１に示すように、パソコン本体Ｃと、これに接続した登録用指紋入力部１と、照合用指紋入力部２と、キーボードなど、指紋データ以外のデータを入力するためのデータ入力部３と、この発明のデータ出力部である表示部４とからなる。また、上記パソコン本体Ｃには、データ処理部５と、データ記憶部６とを備えている。
これらの要素で構成される特典付与システムは、特典を付与する店舗に設けられている。そして、この実施形態における特典とは、所定金額を支払った顧客が、その支払日より１ヶ月間だけ、一日２回までの来店ごとに一定金額を値引きするというものである。
ただし、上記有効期限の１ヶ月と、１日２回までという制限回数は、一例であり、この発明のシステムにおける有効期限および１日の制限回数はこれに限らない。
【０００８】
なお、上記登録用指紋入力部１および照合用指紋入力部２は、どちらも、読み取り窓を備え、そこに載せた指の指紋を読み取って、読み取った指紋データを上記データ処理部５へ入力する装置である。
そして、上記登録用指紋入力部１は、顧客の指紋データを登録する際に使用する装置であり、例えば、店舗内の指紋登録カウンターに設置されている。また、データ入力部３も、指紋の登録時に使用するので、指紋登録カウンターに設置しておくと便利である。
【０００９】
一方、照合用指紋入力部２は、指紋照合時に利用する装置であるが、この指紋照合は、この店舗での支払い前に行なうようにしているので、レジカウンターの近くに設置しておく。また、上記表示部４には、指紋照合結果や、それに基づいて、値引きが可能かどうかを表示するので、上記照合用指紋入力部２の近くに設置している。
【００１０】
このシステムにおいて、顧客が指紋登録を行い、特典として値引きサービスを受けるまでの手順を説明する。
まず、値引きサービスを受けたい顧客は、登録用指紋入力部１に指紋を読み取らせる。読み取られた登録用指紋データは、データ処理部５へ入力される。このとき、データ入力部３から、顧客が設定したパスワードを入力する。このパスワードは、この発明の顧客データに当たるが、顧客データとしては、氏名など、顧客個人の属性データなどを入力するようにしても良い。
【００１１】
データ処理部５は、上記パスワードと登録用指紋データとが入力されたら、そのデータがデータ記憶部６に登録済みかどうか判断し、未登録の場合に、それを新たに登録する。既に登録されていた場合には、登録の必要がないので、その旨を表示部４、あるいは、登録カウンターに設けた別の表示部に表示させる。
ただし、値引きの特典を受けるためには、決められた金額を支払わなければならない。そこで、店員は、料金を受け取ったら、データ入力部３を介して、入金済みを知らせる入金情報を入力する。
【００１２】
データ処理部５は、入金情報の入力があったら、上記顧客の登録用指紋データに、上記パスワードおよび有効期限を対応付けてデータ記憶部６へ登録する。この有効期限とは、今回の入金によって、特典を受けることができる期限のことで、ここでは、入金日から１ヶ月間としているので、１ヶ月後の日にちを算出して有効期限とする。
このようにして、データ処理部５には、図２に示すデータが登録される。なお、図２に示す「本日の来店回数」とは、１日ごとに計数する来店数である。
つまり、この実施形態では、上記有効期限内であれば、１日に２回まで値引きが受けられるようにしているので、ユーザーが、来店したとき、その日の来店回数を１回ずつ加算して記憶させるようにしている。
【００１３】
次に、指紋登録済みの顧客が来店して、料金の支払い前に指紋照合を行なう手順を説明する。
顧客は、上記照合用指紋入力部２に指を載せて、照合用指紋データを読み取らせる。
データ処理部５は、入力された照合用指紋データと一致する登録用指紋データが上記データ記憶部６に登録されているかどうか検索する。なお、顧客のパスワードを介して、登録用指紋データを特定するようにしてもよい。
【００１４】
上記データ処理部５は、入力された照合用指紋データと同じ登録用指紋データを抽出したら、その登録用指紋データに対応する有効期限を確認するとともに、対応する本日の来店回数に今回の来店回数を加算して、それが、上記２回以内かどうかを判断する。
そして、有効期限内であって、しかも、本日の来店回数が２回目以内の場合には、値引きができることを表示部４に表示させる。店員は、表示部４の表示に従って、値引きをする。
【００１５】
一方、上記の指紋データに対応する有効期限が切れていた場合や、有効期限内であっても当日の来店回数が３回目以上（設定回数を超えている）の場合には、データ処理部５は、各判定結果や、値引きできない旨を表示部４に表示させる。この場合には、顧客はこのシステムにおける特典である値引きサービスを受けることができない。
【００１６】
なお、パソコン本体Ｃは、どこに設置してもよいし、データ記憶部６が記憶しているデータを共有できれば、指紋登録用パソコンと、指紋照合用パソコンの２台のパソコンを別々に設置してもかまわない。そして、指紋登録用パソコンには、登録時に必要なデータ処理を実行させ、指紋照合用パソコンには、指紋の照合時に必要な処理を実行させるようにする。この場合、上記データ処理部５の機能は、２台のパソコンによって実現されることになる。
また、上記登録用指紋入力部１と照合用指紋入力部２とを、兼用にしてもよい。
【図面の簡単な説明】
【００１７】
【図１】この発明の実施形態のシステム構成を示すブロック図である。
【図２】データ記憶部が記憶しているデータ例である。
【符号の説明】
【００１８】
１      登録用指紋入力部
２      照合用指紋入力部
３      データ入力部
４      表示部
５      データ処理部
６      データ記憶部
【図１】
2007109129.tif 000003
【図２】
2007109129.tif 000004